(57)【要約】【課題】配管カバーの止水性能を低下させない浴室の防水パンの配管構造の提供【解決手段】浴室の防水パン３０の配管構造１０は、配管カバー４０が、防水パン３０の配管用孔３１の表側周縁３２に当接する環状のフランジ部４１と、フランジ部４１から防水パン３０の配管用孔３１を通って防水パン３０の裏３０ｂ側へ延設し、その内周面４２ａと配管２０との間にシール材留部４５を形成した延長部４２と、延長部４２から延設し、その内周面４３ａを配管２０の外周面２０ａに接近又は当接させた絞り部４３とを備え、配管２０を通して防水パン３０に取付け固定した固定具５０で、配管カバー４０のフランジ部４１を覆いつつ防水パン３０に押圧して水密に固定している。【選択図】図１
2008274709.tif 000002
【特許請求の範囲】
【請求項１】
防水パンの浴室内に通じる表側から浴室外に面する裏側へ配管を通す配管用孔を該配管を通す配管カバーで覆い、配管カバーに設けたシール材溜部にシール材を充填して配管カバーと配管との間を止水した浴室の防水パンの配管構造において、前記配管カバーが、防水パンの配管用孔の表側周縁に当接する環状のフランジ部と、フランジ部から防水パンの配管用孔を通って防水パンの裏側へ延設し、その内周面と配管との間に前記シール材留部を形成した延長部と、延長部から延設し、その内周面を配管の外周面に接近又は当接させた絞り部とを備え、配管を通して防水パンに取付け固定した固定具で、配管カバーのフランジ部を覆いつつ押圧して防水パンに水密に固定したことを特徴とする浴室の防水パンの配管構造。
【請求項２】
前記配管カバーの絞り部にバンドを巻回して締結し、前記配管の外周面に絞り部を密着させた請求項１記載の浴室の防水パンの配管構造。
【請求項３】
前記固定具は、前記配管カバーのフランジ部と前記配管の隙間を覆う覆蓋部が形成され、覆蓋部に前記シール材溜部に通じるシール材充填口を設けた請求項１又は２記載の浴室の防水パンの配管構造。
【請求項４】
前記固定具の覆蓋部に、前記配管の外周面を当接させることができる配管当接部が形成されている請求項３記載の浴室の防水パンの配管構造。
【発明の詳細な説明】
【技術分野】
【０００１】
本発明は、防水パンの浴室内に通じる表側から浴室外に面する裏側へ配管を通す配管用孔を該配管を通す配管カバーで覆い、配管カバーに設けたシール材溜部にシール材を充填して配管カバーと配管との間を止水した浴室の防水パンの配管構造に関する。
【背景技術】
【０００２】
浴室の防水パンには、浴槽を支持する浴槽設置用防水パンの如く、表側が浴室内に通じて湿度が高くなり、裏側が外気に触れるものがある。また、浴槽設置用防水パンには、防水パンと洗い場パンとの間に配置したエプロンを外して、洗い場側から清掃できるタイプのものがある。特許文献１に記載されたユニットバスにおける防水パンの配管構造は、シール材留部を形成した配管挿通部を有する防水パッキン（配管カバー）が、防水パンの表側に設けられている。
【特許文献１】特開２００３−１０５８２３号公報
【発明の開示】
【発明が解決しようとする課題】
【０００３】
前記ユニットバスにおける防水パンの配管構造は、防水パンの表側に露出している防水パッキン（配管カバー）が、高湿気や飛散した洗浄水の影響を受けて劣化し、止水性能を低下させる可能性がある。
【０００４】
本発明は、上記課題を解決するために、配管カバーの劣化を抑制して配管カバーの止水性能を低下させない浴室の防水パンの配管構造の提供を目的とする。
【課題を解決するための手段】
【０００５】
配管カバーの止水性能を低下させないようにするために請求項１記載の本発明が採用した手段は、防水パンの浴室内に通じる表側から浴室外に面する裏側へ配管を通す配管用孔を該配管を通す配管カバーで覆い、配管カバーに設けたシール材溜部にシール材を充填して配管カバーと配管との間を止水した浴室の防水パンの配管構造において、前記配管カバーが、防水パンの配管用孔の表側周縁に当接する環状のフランジ部と、フランジ部から防水パンの配管用孔を通って防水パンの裏側へ延設し、その内周面と配管との間に前記シール材留部を形成した延長部と、延長部から延設し、その内周面を配管の外周面に接近又は当接させた絞り部とを備え、配管を通して防水パンに取付け固定した固定具で、配管カバーのフランジ部を覆いつつ押圧して防水パンに水密に固定したことを特徴とする浴室の防水パンの配管構造である。
【０００６】
配管カバーの止水性を向上させるために請求項２記載の本発明が採用した手段は、前記配管カバーの絞り部にバンドを巻回して締結し、前記配管の外周面に絞り部を密着させた請求項１記載の浴室の防水パンの配管構造である。
【０００７】
シール材を簡単且つ確実に充填できるようにするために請求項３記載の本発明が採用した手段は、前記固定具は、前記配管カバーのフランジ部と前記配管の隙間を覆う覆蓋部が形成され、覆蓋部に前記シール材溜部に通じるシール材充填口を設けた請求項１又は２記載の浴室の防水パンの配管構造である。
【０００８】
配管の振動を抑制するために請求項４記載の本発明が採用した手段は、前記固定具の覆蓋部に、前記配管の外周面を当接させることができる配管当接部が形成されている請求項３記載の浴室の防水パンの配管構造である。
【発明の効果】
【０００９】
請求項１記載の本発明に係る浴室の防水パンの配管構造は、延長部及び絞り部が防水パンの裏側に露出して防水パンの表側と遮断されると共にフランジ部が固定具で覆われて防水パンに水密に固定されるので、配管カバーが防水パンの表側の高湿気や洗浄水の影響を受け難くなって、配管カバーの劣化が抑制され配管カバーの止水性能を長期に渡って維持できる。
【００１０】
請求項２記載の本発明に係る浴室の防水パンの配管構造は、配管の外周面に絞り部が密着するので、配管の外周面と絞り部との間で止水できると共にシール材溜部に充填したシール材が配管の外周面と絞り部との間から流出するのを確実に防止できる。
【００１１】
請求項３記載の本発明に係る浴室の防水パンの配管構造は、シール材充填口を介してシール材留部へシール材を簡単に且つ確実に充填できる。
【００１２】
請求項４記載の本発明に係る浴室の防水パンの配管構造は、配管が振動したとき、防水パンに固定した固定具の配管当接部に配管が当接して、配管の振動を抑制できる。
【発明を実施するための最良の形態】
【００１３】
本発明に係る浴室の防水パンの配管構造（以下、「本発明構造」という。）について実施の形態を示す図面に基いて説明する。
【００１４】
図１乃至図５は、本発明構造の実施の形態を示すものである。図１は本発明構造の構成部材を分離して示す斜視図であり、図２は本発明構造の主要部を分解した縦断面図である。図３は本発明構造の組立てた状態を示すものであって、同図（Ａ）は平面図であり、同図（Ｂ）は、同図（Ａ）のＸ−Ｘ箇所で縦断した断面図である。図４は、本発明構造の別態様の組立てた状態を示すものであって、同図（Ａ）は平面図であり、同図（Ｂ）は同図（Ａ）のＹ−Ｙ箇所で縦断した断面図である。図５は本発明構造の別態様の組立てた状態を示す縦断面図である。
【００１５】
本発明構造１０は、表３０ａ側が浴室内に通じて高湿度となり及び／又は飛散した洗浄水を受けると共に、裏３０ｂ側が浴室外に面して外気に触れる防水パン３０と、防水パン３０に設けた配管用孔３１を挿通する配管２０と、配管２０を通し配管用孔３１を覆う配管カバー４０と、配管２０を通して防水パン３０に取付け固定され、配管カバー４０を防水パン３０に水密に固定する固定具５０と、配管カバー４０に設けたシール材溜部４５に充填され、配管カバー４０と配管２０との間を止水したシール材４６とを備え、防水パン３０と配管２０との間を止水している。本発明設置構造１０は、本例では、防水パン３０を浴槽（図示省略）を支持する浴槽設置用タイプにし、防水パン３０を挿通して表３０ａ側へ延びる配管２０を、浴槽の上面側に載設された浴槽用水栓（図示省略）等に接続するように構成してある。
【００１６】
前記配管カバー４０は、環状のフランジ部４１と、該フランジ部４１から下方に延設した延長部４２と、該延長部４２から下方に延設した絞り部４３とからなり、フランジ部４１，延長部４２及び絞り部４３の内側に配管２０を通す空間部４４が形成されている。配管カバー４０は、空間部４４に配管２０を通し、環状のフランジ部４１が防水パン３０の配管用孔３１の表側周縁３２に当接し、延長部４２が防水パン３０の配管用孔３１を通って防水パン３０の裏３０ｂ側へ延設すると共にその内周面４２ａと配管２０の外周面２０ａとの間に前記シール材留部４５を形成し、絞り部４３の内周面４３ａが配管２０の外周面２０ａに接近又は当接している。ここで、絞り部４３の内周面４３ａが配管２０の外周面２０ａに接近している状態とは、絞り部４３の内周面４３ａと配管２０の外周面２０ａとの間に形成した隙間から前記シール材４６を流出させない状態を言う。また、絞り部４３の内周面４３ａが配管２０の外周面２０ａに当接している状態とは、絞り部４３の内周面４３ａと配管２０の外周面２０ａが水密状態で接触している状態を言い、絞り部４３の内周面４３ａと配管２０の外周面２０ａとの間で滑り移動可能な状態と、絞り部４３の内周面４３ａが配管２０の外周面２０ａに移動不可能に圧着した状態とがある。
【００１７】
前記固定具５０は、配管２０を通して防水パン２０に取付け固定されており、配管カバー４０のフランジ部４１の上面全体を覆うと共にフランジ部４１を防水パン３０に押圧してフランジ部４１と防水パン３０との間を水密にしてフランジ部４１を固定した状態にする。
【００１８】
本発明構造１０は、延長部４２及び絞り部４３が防水パン２０の裏２０ｂ側に露出して防水パン２０の表２０ａ側と遮断されると共にフランジ部４１の上面側全体が固定具５０で覆われて防水パン２０に水密に固定されるので、配管カバー４０が防水パン２０の表２０ａ側の高湿気や洗浄水の影響を受け難くなって、配管カバー４０の劣化が抑制され配管カバー４０の止水性能を長期に渡って維持できる。
【００１９】
前記配管カバー４０は、例えば、肉厚ｔ（図２参照）が１〜２ｍｍでゴム硬度Ａ７０程度のゴム（ＥＰＤＭ等）を素材に用いて、フランジ部４１，延長部４２及び絞り部４３を一体に成形してある。延長部４２は、フランジ部４１から真っ直ぐ下方へ延設された円筒状のストレート部４２ｂと、ストレート部４２ｂの下方に延設され下方へ先細状に傾斜させた逆円錐台形状のテーパー部４２ｃとで構成されるが、他には、テーパー部４２ｃを省略して延長部全体をストレート部４２ｂのみで構成する場合や、図５に示す如く、ストレート４２ｂを省略して延長部全体をテーパー部４２ｃのみで構成する場合もある。延長部全体をストレート部４２ｂのみで構成する場合は、フランジ部４１から延設した筒状部の下端側を襞等を形成しつつ絞り、上側の延長部４２と下側の絞り部４３を形成するようにしてもよい。フランジ部４１に接合する延長部４２の付け根（本例ではストレート部４２ｂの上端）は、その外径が配管用孔３１の孔径Ｂより若干小径となっており、防水パン３０へ組み付けるときに配管用孔３１へ挿通させ易く、且つ配管用孔３１との関係で配管カバー４０を位置決めし易くしてある。
【００２０】
本発明構造１０は、前記絞り部４３にバンド６０を巻回してバンド６０の結束部６１（図１参照）で締結し、配管２０の外周面２０ａに絞り部４３の内周面４３ａを密着（当接）させて、配管２０と絞り部４３との間で止水し、シール材溜部４５に充填したシール材４６が配管２０の外周面２０ａと絞り部４３との間から流出しないようにしてある。配管カバー４０は、前記ゴム硬度Ａ７０程度のゴム素材で成形されているとき、バンド６０の締結で絞り部４３を絞込み変形させ、配管２０に絞り部４３を密着させやすい。
【００２１】
前記固定具５０は、ステンレススチール等の金属材を四角形状等に成形して配管カバー４０のフランジ部４１を押圧するために必要な強度を得ており、中央に配管２０を通す配管用開口部５１が開設されている。固定具５０は、配管カバー４０のフランジ部４１及び配管２０の隙間を覆う覆蓋部５４と、覆蓋部５４の下面内側寄りに１〜２ｍｍ程度の上下寸法で隆起した環状凸部５３と、配管用開口部５１の周縁に適宜間隔で切り欠くように設けた複数個のシール材充填口５５，５５…と、外周縁寄りに適宜間隔で設けた複数個の連結具用挿通孔５２，５２…とを備えている。前記固定具５０は、連結具用挿通孔５２，５２…に挿通したタッピングビス等の連結具７０，７０…を防水パン３０に螺着して防水パン３０に取付け固定されている。連結具７０，７０による取付け固定は、各連結具７０と固定具５０との間、及び固定具５０と防水パン３０との間に、連結具７０が挿通するゴム等からなる止水用ワッシャー７１が配設され、止水を高めている。なお、固定具５０は、図示は省略したが、覆蓋部５４を省略してシール材溜部４５の上側を開口し、前記シール材４６を防水パン３０の表３０ａ側に露出させる態様とすることも可能である。
【００２２】
本発明構造１０は、固定具５０に前記環状凸部５３を設けてあるので、図３の図（Ｂ）に示す如く、フランジ部４１が環状凸部５３で局所的に押圧され、フランジ部４１と防水パン３０との間の水密性を高めることができる。殊に、フランジ部４１は、ゴム硬度Ａ７０程度のゴム素材で成形されているとき、環状凸部５３で局所的に押圧されて変形し、防水パン３０との間の水密性をより高めることができる。
【００２３】
固定具５０は、前記覆蓋部５４に前記シール材充填口５５，５５…を設けてあるので、シール材充填口５５を介してシール材留部４５にシール材４６を充填でき、更にシール材４６の充填状況を別のシール材充填口５５で視認できるので、シール材４６の充填が簡単且つ確実である。また、シール材充填口５５は、シール材溜部４５から溢れたシール材４６が流出するので充填の完了を知らせることができる。
【００２４】
前記固定具５０は、配管用開口部５１のうち、シール材充填口５５，５５…を除く内径寸法を配管２０の外径寸法Ａより若干大径にして、配管用開口部５１へ配管２０を通すとき、配管２０の外周面２０ａに擦り傷を生じさせないようにすると共に、ウォーターハンマー等で振動する配管２０に当接させることができる配管当接部５６を配管用開口部５１の内周面に形成し、配管２０の振動を抑制させるようにしてある。また、前記固定具５０は、図４に示す如く、配管用開口部５１の周縁にゴム製等の弾性素材から成形された横断面Ｕ字状等のリング５７を内嵌し、リング５７の内周面に配管２０の外周面を摺動可能に当接させて、配管２０に生じる振動を抑制させたり、配管２０と擦れるときの騒音を抑制させるようにすることもある。
【００２５】
本発明構造１０による配管２０の施工方法は、次の手順で行われる。
（１）先ず、防水パン３０の配管用孔３１を通って防水パン３０の表３０ａ側へ突出する配管２０の一端側から、配管カバー４０を外嵌させるようにして、空間部４４へ配管２０を通す。
（２）次に、配管２０が上方向に撓み変形可能な配置状態である樹脂管等の場合は、一旦、配管２０を上方に引っ張って撓み変形させ、配管２０を持上げた状態にして、予め防水パン３０の上側で配管カバー４０の絞り部４３にバンド６０を巻回して結束部６１で締結した後、配管２０の引張りを解除して配管２０を元の配置状態に復帰させることで、復帰する配管２０と共に配管カバー４０の延長部４２を防水パン３０の配管用孔３１へ挿通して、配管カバー４０のフランジ部４１を防水パン３０の配管用孔３１の表側周縁３２に当接させる。
【００２６】
また、配管２０が上方向に撓み変形することが不可能である鋼管等の場合は、防水パン３０の上側で配管カバー４０の絞り部４３にバンド６０を巻回して、配管２０と絞り部４３との間で滑りを生じさせる程度に結束部６１で締結した後、配管カバー４０を配管２０の外周面２０ａに沿って下方に滑らせることで、配管カバー４０の延長部４２を防水パン３０の配管用孔３１へ挿通して、配管カバー４０のフランジ部４１を防水パン３０の配管用孔３１の表側周縁３２に当接させる。
【００２７】
（３）この後、配管２０の一端側から固定具５０の配管用開口部５１を外嵌させるようにして配管用開口部５１へ配管を通し、固定具５０を配管カバー４０のフランジ部４１に載置する。この載置の後、タッピングビス等の連結具７０，７０…を連結具用挿通孔５２，５２…及び各連結具用挿通孔５２の表側及び裏側に設けられる止水用ワッシャー７１，７１に挿通し、防水パン３０の適宜取付箇所に予め設けた雌ねじ部用下孔３３，３３…に各連結具７０を螺着することで、防水パン３０に固定具５０を取付け固定する。
（４）最後に、シール材充填口５５を介してシール材留部４５へ変成シリコーン等のシール材４６を充填し、シール材溜部４５にシール材４６を充満させて、施工を完了する。
【００２８】
本発明構造１０の各寸法を例示すると下記の通りである。なお、寸法の単位はｍｍである。
配管２０の外径Ａ＝１６
配管用孔３１の孔径Ｂ＝３０
配管カバー４０の上下長さＣ＝５０〜６０
フランジ４１の外径Ｄ＝４０
フランジ４１の内径Ｅ＝２８
ストレート部４２ｂの内径Ｆ＝２８
固定具５０の一辺の長さＧ＝６０
【図面の簡単な説明】
【００２９】
【図１】本発明構造の実施の形態を示すものであって、本発明構造の構成部材を分離して示す斜視図である。
【図２】同実施の形態において、本発明構造の主要部を分解した縦断面図である。
【図３】同実施の形態において、本発明構造の組立てた状態を示すものであって、同図（Ａ）は平面図であり、同図（Ｂ）は、同図（Ａ）のＸ−Ｘ箇所で縦断した断面図である。
【図４】同実施の形態において、本発明構造の別態様の組立てた状態を示すものであって、同図（Ａ）は平面図であり、同図（Ｂ）は同図（Ａ）のＹ−Ｙ箇所で縦断した断面図である。
【図５】同実施の形態において、本発明構造の別態様の組立てた状態を示す縦断面図である。
【符号の説明】
【００３０】
１０…本発明構造（浴室の防水パンの配管構造）  ２０…配管  ２０ａ…外周面  
３０…防水パン  ３０ａ…表  ３０ｂ…裏  ３１…配管用孔  ３２…表側周縁  
４０…配管カバー  ４１  フランジ部  ４２…延長部  ４２ａ…内周面  ４３…絞り部  
４３ａ…内周面  ４４…空間部  ４５…シール材溜部  ４６…シール材  ５０…固定具
【図１】
2008274709.tif 000003
【図２】
2008274709.tif 000004
【図３】
2008274709.tif 000005
【図４】
2008274709.tif 000006
【図５】
2008274709.tif 000007